(57)【要約】【課題】情報発信者は、接点をより広げた広告対象者に対して、広告対象者となる個人を特定する情報の流出リスクを負うことなく、情報を能動的に伝える。【解決手段】情報発信者はＷＥＢ３４上に、お知らせページ３２と該お知らせページ３２の更新時に書き換えを行う更新チェックファイル３３とを用意し、ユーザのＷＥＢアクセス機器用に更新確認機能と情報の収集・管理機能とを備えた利用者用ツールＡを提供し、お知らせページ３２の更新、更新チェックファイル３３の書き換えを行い、ユーザは利用者用ツールＡにより最小限マウスのみの操作にて情報の表示、ＷＥＢアクセス、ＷＥＢアドレスの収集・管理を行い、利用者用ツールＡは個人を特定する情報を晒すことなしに更新チェックファイル３３を自動取得して更新を自動確認し、更新があると強調表示ハしてユーザに更新を知らせ、ユーザは自身の情報を公開せずにお知らせページ３２を取得する。【選択図】図１
2005338997.tif 000002
【特許請求の範囲】
【請求項１】
情報発信者はＷＥＢ上に、お知らせページと該お知らせページの更新時に書き換えを行う更新チェックファイルとを用意すると共に、ユーザのＷＥＢアクセス機器用に更新確認機能と情報の収集・管理機能とを備えた利用者用ツールを提供し、情報発信者はお知らせページの更新時に更新チェックファイルの書き換えを行い、ユーザは利用者用ツールにより最小限マウスのみの操作にて情報発信者からの情報を含む情報の表示、ＷＥＢアクセス、ＷＥＢアドレスの収集・管理を行い、前記利用者用ツールは個人を特定する情報を晒すことなしに前記更新チェックファイルを自動取得してお知らせページの更新を自動確認し、更新があると強調表示してユーザに更新を知らせ、これによりユーザは自身の情報を公開せずに前記お知らせページを取得することを特徴とする情報伝達方法。
【請求項２】
前記利用者用ツールは、該利用者用ツールに予め組み込まれた情報を元に、情報発信者のＷＥＢ上に用意された更新チェックファイルを特定して利用者用ツール側に直接取得することで、情報発信者に、利用者用ツールを使用するユーザ個人の特定をさせないことを特徴とする請求項１記載の情報伝達方法。
【請求項３】
お知らせページの更新の有無を確認する方法は、前記利用者用ツールが所定の期間ごとに前記更新チェックファイルを自動取得してお知らせページの更新の有無を自動確認し、更新があった場合には強調表示してユーザに更新があったことを伝えることを特徴とする請求項１記載の情報伝達方法。
【請求項４】
お知らせページの更新の有無を確認する方法は、所定の期間内にユーザが前記利用者用ツールを利用して何らかのＷＥＢアクセスを行うことによって、利用者用ツールが情報発信者の更新チェックファイルを自動取得してお知らせページの更新の有無を確認し、更新があった場合には強調表示してユーザに更新があったことを伝えることを特徴とする請求項１記載の情報伝達方法。
【請求項５】
情報発信者はＷＥＢ上に、お知らせページと該お知らせページの更新時に書き換えを行う更新チェックファイルとを用意すると共に、ユーザのＷＥＢアクセス機器用に更新確認機能と情報の収集・管理機能とを備えた利用者用ツールを提供し、情報発信者はお知らせページの更新時に更新チェックファイルの書き換えを行い、ユーザは利用者用ツールにより最小限マウスのみの操作にて情報発信者からの情報を含む情報の表示、ＷＥＢアクセス、ＷＥＢアドレスの収集・管理を行い、前記利用者用ツールは個人を特定する情報を晒すことなしに前記更新チェックファイルを自動取得してお知らせページの更新を自動確認し、更新があるとお知らせページボタンを強調表示してユーザに更新を知らせ、これによりユーザは自身の情報を公開せずに前記お知らせページを取得できるようにしたことを特徴とする情報伝達装置。
【請求項６】
前記利用者用ツールは、該利用者用ツールに予め組み込まれた情報を元に、情報発信者のＷＥＢ上に用意された更新チェックファイルを特定して利用者用ツール側に直接取得することで、情報発信者に、利用者用ツールを使用するユーザ個人の特定をさせないようにしたことを特徴とする請求項５記載の情報伝達装置。
【請求項７】
お知らせページが更新されて強調表示されたお知らせページボタンをユーザが選択すると、最新のお知らせページが取得されて表示され、同時にお知らせページボタンの強調表示が解消されるようにしたことを特徴とする請求項５記載の情報伝達装置。
【請求項８】
前記情報発信者とは異なる他の後発の情報発信者が提供する利用者用ツールが前記ユーザのＷＥＢアクセス機器に取り込まれた場合には、お知らせページの内容が順次追加され、ユーザが所定の期間内に前記利用者用ツールを利用して何らかのＷＥＢアクセスを行った時に前記情報発信者のお知らせページの更新の有無を順次自動確認し、更新があるとお知らせページボタンを強調表示させるようにしたことを特徴とする請求項５記載の情報伝達装置。
【請求項９】
ブックマーク欄に加除可能なブックマークタブが表示され、ブックマークタブを選択することにより該ブックマークタブに分類された情報のブックマークがブックマーク欄に一覧表示されるようにしたことを特徴とする請求項５記載の情報伝達装置。
【請求項１０】
ユーザのＷＥＢアクセス機器上に取得表示させたＷＥＢアドレスを、専用に設けたクイック取込みボタンのクリック、或いはアドレス欄のドラッグ・アンド・ドロップによりブックマークタブに取り込めるようにしたことを特徴とする請求項９記載の情報伝達装置。
【請求項１１】
ブックマーク欄の情報は編集ボタンにより編集できるようにしたことを特徴とする請求項９又は１０記載の情報伝達装置。
【請求項１２】
情報発信者はＷＥＢ上に、お知らせページと該お知らせページの更新時に書き換えを行う更新チェックファイルとを用意すると共に、ユーザのＷＥＢアクセス機器用に更新確認機能と情報の収集・管理機能とを備えた利用者用ツールを提供し、情報発信者はお知らせページの更新時に更新チェックファイルの書き換えを行い、ユーザは利用者用ツールにより最小限マウスのみの操作にて情報発信者からの情報を含む情報の表示、ＷＥＢアクセス、ＷＥＢアドレスの収集・管理を行い、前記利用者用ツールは個人を特定する情報を晒すことなしに前記更新チェックファイルを自動取得してお知らせページの更新を自動確認し、更新があるとお知らせページボタンを強調表示してユーザに更新を知らせ、これによりユーザは自身の情報を公開せずに前記お知らせページを取得できるようにしたことを特徴とする情報伝達処理を記憶した記憶媒体。
【請求項１３】
前記利用者用ツールは、該利用者用ツールに予め組み込まれた情報を元に、情報発信者のＷＥＢ上に用意された更新チェックファイルを特定して利用者用ツール側に直接取得することで、情報発信者に、利用者用ツールを使用するユーザ個人の特定をさせないようにしたことを特徴とする請求項１２記載の情報伝達処理を記憶した記憶媒体。
【請求項１４】
前記お知らせページボタンをユーザが任意で選択しなければお知らせの内容を表示することができないことを特徴とする請求項１２記載の情報伝達処理を記憶した記憶媒体。
【請求項１５】
前記情報発信者とは異なる他の後発の情報発信者が提供する利用者用ツールが前記ユーザのＷＥＢアクセス機器に取り込まれた場合には、お知らせページの内容が順次追加され、ユーザが所定の期間内に前記利用者用ツールを利用して何らかのＷＥＢアクセスを行った時に前記情報発信者のお知らせページの更新の有無を順次自動確認し、更新があるとお知らせページボタンを強調表示させるようにしたことを特徴とする請求項１２記載の情報伝達処理を記憶した記憶媒体。
【請求項１６】
ブックマーク欄に加除可能なブックマークタブが表示され、ブックマークタブを選択することにより該ブックマークタブに分類された情報のブックマークがブックマーク欄に一覧表示されるようにしたことを特徴とする請求項１２記載の情報伝達処理を記憶した記憶媒体。
【請求項１７】
ユーザのＷＥＢアクセス機器上に取得表示させたＷＥＢアドレスを、専用に設けたクイック取込みボタンのクリック、或いはアドレス欄のドラッグ・アンド・ドロップによりブックマークタブに取り込めるようにしたことを特徴とする請求項１６記載の情報伝達処理を記憶した記憶媒体。
【請求項１８】
ブックマーク欄の情報は編集ボタンにより編集できるようにしたことを特徴とする請求項１６又は１７記載の情報伝達処理を記憶した記憶媒体。
【発明の詳細な説明】
【技術分野】
【０００１】
本発明は、情報発信者は、広告対象者に対して接点をより広げ、広告対象者となる個人を特定する情報の流出リスクを負うことなく、情報を能動的に伝えることができて、ユーザが安心して情報を積極活用でき、よって情報発信者による有効顧客の囲い込みが効果的に達成できる情報伝達方法及び装置並びに情報伝達処理を記憶した記憶媒体に関するものである。
【背景技術】
【０００２】
近年、パソコンやゲーム機器、テレビジョン、携帯電話等のＷＥＢアクセス機器を用いて、インターネットやイントラネット等のＷＥＢ上から情報を取得することが行われている。一般にＷＥＢ上の情報を入手するためには、「ＹＡＨＯＯ！」に代表される検索エンジンによりキーワードを入力して利用したり、ＵＲＬ（Uniform Resource Locator）を入力すること等が行われている。
【０００３】
又、インターネットやイントラネット等を使って、企業或いは種々の機関等の情報発信者がユーザに広告・情報等を提供する際には、情報発信者のホームページのＵＲＬを雑誌やその他のメディアにより告知したり、又はホームページに情報発信者のバナー広告を掲載すること等が行われる。
【０００４】
従来より、ユーザがインターネットに接続した際、ブラウザとは別のウインドウ（窓）に自動的に広告を配信するシステムで、事前にユーザの個人属性をアンケート登録してもらうことにより、ユーザが関心を持つテーマに絞った広告だけを配信することができ、その広告をユーザがクリックするだけで広告主のホームページがブラウザ内に表示されるようにしたシステムがある（例えば、特許文献１参照）。
【特許文献１】特許第３２１６８１２号
【発明の開示】
【発明が解決しようとする課題】
【０００５】
ユーザがＷＥＢ上の情報を取得するためには、インターネットエクスプローラＩ／Ｅ或いはネットスケープＮ／Ｓに代表されるソフトを用いて、主にキーボードによりキーワードやＵＲＬを入力する必要がある。
【０００６】
しかし、中高年者や低学年の児童・生徒等における特にパソコンの取扱いに未熟な不慣れ層のユーザにとっては、キーボードを用いることは大きな障害となる。
【０００７】
そのため、図３を参照して示すように、実際には幅広く潜在している顧客Ｐ１のうち、キーボードにより実際にインターネットを利用して情報を取得できる顧客Ｐ２は狭い範囲に限られてしまう。従って、情報発信者側から見ても、インターネットを使っての広告提供の対象に、パソコンの取扱いに未熟な不慣れ層のユーザを導くことができず、よって広告効果を有効に拡大できないという問題がある。
【０００８】
一方、情報発信者がホームページのＵＲＬを雑誌等のメディアに掲載したり、バナー広告を掲載したとしても、これらの掲載物にユーザが接触する機会を待たなければ広告効果を上げることはできず、戦略的な広告伝達を行うことは難しい。
【０００９】
又、情報発信者が更新した最新の情報をユーザに届けるためには、ユーザのメールアドレスを入手して、そのメールアドレスごとに送信する必要があるが、多数のユーザに送信するには非常に手間が掛かり管理コストが増大するという問題があり、そのために、図３の如くメール配信による顧客Ｐ３は更に狭い範囲に制限されることになる。更に、メール配信による顧客Ｐ３の場合、情報発信者の情報が一方的に強制表示されるためにユーザが表示を嫌悪するケースが多く、そのためにユーザのアクセス機器への常駐性が低下し、十分な広告効果が期待できない。又、メールアドレスを必要とするために、ウィルスの侵入やアドレス漏洩といったリスクを生じる問題がある。
【００１０】
上記した如く、図３において情報発信者側から見ると、Ｉ／Ｅ或いはＮ／Ｓ利用の顧客Ｐ２の場合は、情報発信者の情報を見てくれるのを単に待つのみであるために、平面的には広い顧客Ｐ２が存在するにも拘らず、広告効果を有効に高めることは困難である。又、メール配信による顧客Ｐ３の場合は、情報発信者から一方的に送り付けられる情報に対してユーザが嫌悪するケースが多くそのために常駐性が低下し、更に不慣れ層を含む家族等への深さの広がりＳ1はあまり期待できないために、広告効果が有効に高められない。即ち、Ｉ／Ｅ或いはＮ／Ｓ利用の顧客Ｐ２及びメール配信による顧客Ｐ３は、いずれも情報発信者との関係が希薄であり、このために情報発信者は、該情報発信者の情報に興味を持つ有効顧客に対して効率的に情報が提供できないというジレンマがあった。
【００１１】
一方、ユーザ側から見ると、特定の興味ある情報発信者が発信する最新の情報は常に知りたいという要求があるが、従来のＩ／Ｅ或いはＮ／Ｓ利用の顧客Ｐ２の場合は、興味ある情報発信者からの更新された最新の情報を知るために、頻繁に情報発信者のホームページにアクセスして常に新しい情報を取得する必要があり、大変面倒であった。又、メール配信による顧客Ｐ３の場合は、情報発信者からの情報が一方的に強制表示されるためにユーザが嫌悪するケースが多い。従って、ユーザからは、情報を分かり易い形で簡単に取得・管理できるようなブックマーク機能を備え、且つ興味ある情報発信者からの最新の情報をいつでも入手できる優しい技術の出現が望まれていたが、このようなものは存在しなかった。
【００１２】
従って、パソコンの取扱いの熟練度に関わらず、広範のユーザがマウスのみの簡単な操作で興味ある情報発信者からの情報を含めた各種情報を容易に活用することができ、一方、情報発信者の情報を広範のユーザに提供でき且つ情報発信者の情報の常駐性を高めることによってユーザの平面的な広がりを図ると共に、不慣れ層を含む家族等への深さの広がりＳ2を拡大して、より多くの有効顧客の囲い込みを図ることによって高い広告効果が期待できる技術の開発が望まれている。
【００１３】
こうした要望に応えるべく、本発明者らは特願２００２−３８００１３を先に出願した。特願２００２−３８００１３の発明は、情報発信者はユーザのＷＥＢアクセス機器用に利用者用ツールを提供し、該利用者用ツールを介して、ユーザは最小限マウスのみの操作にて情報発信者からの情報の表示、ＷＥＢアクセス、ＷＥＢアドレスの収集・管理を可能にし、情報発信者は提供したい動的な情報をリアルタイムにユーザに提供することを可能にし、情報発信者が情報を更新すると更新があったことのみを直ちにユーザに伝えてユーザはマウスのみの操作にて最新情報の取得を可能にし、より多くのユーザによるインターネットの積極活用と情報発信者による有効顧客の囲い込みとを同時に達成するようにしている。
【００１４】
更に、従来の一般の方法では、前記したように情報発信者からの情報をユーザが取得する際に、ユーザの個人を特定する情報が流出するリスクを伴う問題があり、このために、ユーザが安心して情報を取得することができず、よってユーザの大幅な拡大が望めないという問題があった。
【００１５】
上記ユーザの個人を特定する情報が流出する可能性については前記特願２００２−３８００１３でも考慮されていなかった。
【００１６】
ここで、インターネットにおいて広告効果を大幅に高めるためには、１．情報発信者は、接点をより広げた広告対象者に対して、２．広告対象者となる個人を特定する情報の流出リスクを負うことなく、３．情報を能動的に伝えることができることが有効である。
【００１７】
ホームページによる手段では上記３．を達成することができず、又、メールによる手段では上記１．及び２．を達成することができない。従って、従来では情報を届けるユーザを大幅に拡大して、広告効果を飛躍的に高めるようなことは望めなかった。
【００１８】
本発明は、上記課題に鑑みてなしたもので、情報発信者は、広告対象者に対して接点をより広げ、広告対象者となる個人を特定する情報の流出リスクを負うことなく、情報を能動的に伝えることができて、ユーザが安心して情報を積極活用でき、よって情報発信者による有効顧客の囲い込みが効果的に達成できて広告効果を飛躍的に高められる情報伝達方法及び装置並びに情報伝達処理を記憶した記憶媒体を提供するものである。
【課題を解決するための手段】
【００１９】
請求項１に係る発明は、情報発信者はＷＥＢ上に、お知らせページと該お知らせページの更新時に書き換えを行う更新チェックファイルとを用意すると共に、ユーザのＷＥＢアクセス機器用に更新確認機能と情報の収集・管理機能とを備えた利用者用ツールを提供し、情報発信者はお知らせページの更新時に更新チェックファイルの書き換えを行い、ユーザは利用者用ツールにより最小限マウスのみの操作にて情報発信者からの情報を含む情報の表示、ＷＥＢアクセス、ＷＥＢアドレスの収集・管理を行い、前記利用者用ツールは個人を特定する情報を晒すことなしに前記更新チェックファイルを自動取得してお知らせページの更新を自動確認し、更新があると強調表示してユーザに更新を知らせ、これによりユーザは自身の情報を公開せずに前記お知らせページを取得することを特徴とする情報伝達方法である。
【００２０】
請求項２に係る発明は、前記利用者用ツールは、該利用者用ツールに予め組み込まれた情報を元に、情報発信者のＷＥＢ上に用意された更新チェックファイルを特定して利用者用ツール側に直接取得することで、情報発信者に、利用者用ツールを使用するユーザ個人の特定をさせないことを特徴とする請求項１記載の情報伝達方法である。
【００２１】
請求項３に係る発明は、お知らせページの更新の有無を確認する方法は、前記利用者用ツールが所定の期間ごとに前記更新チェックファイルを自動取得してお知らせページの更新の有無を自動確認し、更新があった場合には強調表示してユーザに更新があったことを伝えることを特徴とする請求項１記載の情報伝達方法である。
【００２２】
請求項４に係る発明は、お知らせページの更新の有無を確認する方法は、所定の期間内にユーザが前記利用者用ツールを利用して何らかのＷＥＢアクセスを行うことによって、利用者用ツールが情報発信者の更新チェックファイルを自動取得してお知らせページの更新の有無を確認し、更新があった場合には強調表示してユーザに更新があったことを伝えることを特徴とする請求項１記載の情報伝達方法である。
【００２３】
請求項５に係る発明は、情報発信者はＷＥＢ上に、お知らせページと該お知らせページの更新時に書き換えを行う更新チェックファイルとを用意すると共に、ユーザのＷＥＢアクセス機器用に更新確認機能と情報の収集・管理機能とを備えた利用者用ツールを提供し、情報発信者はお知らせページの更新時に更新チェックファイルの書き換えを行い、ユーザは利用者用ツールにより最小限マウスのみの操作にて情報発信者からの情報を含む情報の表示、ＷＥＢアクセス、ＷＥＢアドレスの収集・管理を行い、前記利用者用ツールは個人を特定する情報を晒すことなしに前記更新チェックファイルを自動取得してお知らせページの更新を自動確認し、更新があるとお知らせページボタンを強調表示してユーザに更新を知らせ、これによりユーザは自身の情報を公開せずに前記お知らせページを取得できるようにしたことを特徴とする情報伝達装置である。
【００２４】
請求項６に係る発明は、前記利用者用ツールは、該利用者用ツールに予め組み込まれた情報を元に、情報発信者のＷＥＢ上に用意された更新チェックファイルを特定して利用者用ツール側に直接取得することで、情報発信者に、利用者用ツールを使用するユーザ個人の特定をさせないようにしたことを特徴とする請求項５記載の情報伝達装置である。
【００２５】
請求項７に係る発明は、お知らせページが更新されて強調表示されたお知らせページボタンをユーザが選択すると、最新のお知らせページが取得されて表示され、同時にお知らせページボタンの強調表示が解消されるようにしたことを特徴とする請求項５記載の情報伝達装置である。
【００２６】
請求項８に係る発明は、前記情報発信者とは異なる他の後発の情報発信者が提供する利用者用ツールが前記ユーザのＷＥＢアクセス機器に取り込まれた場合には、お知らせページの内容が順次追加され、ユーザが所定の期間内に前記利用者用ツールを利用して何らかのＷＥＢアクセスを行った時に前記情報発信者のお知らせページの更新の有無を順次自動確認し、更新があるとお知らせページボタンを強調表示させるようにしたことを特徴とする請求項５記載の情報伝達装置である。
【００２７】
請求項９に係る発明は、ブックマーク欄に加除可能なブックマークタブが表示され、ブックマークタブを選択することにより該ブックマークタブに分類された情報のブックマークがブックマーク欄に一覧表示されるようにしたことを特徴とする請求項５記載の情報伝達装置である。
【００２８】
請求項１０に係る発明は、ユーザのＷＥＢアクセス機器上に取得表示させたＷＥＢアドレスを、専用に設けたクイック取込みボタンのクリック、或いはアドレス欄のドラッグ・アンド・ドロップによりブックマークタブに取り込めるようにしたことを特徴とする請求項９記載の情報伝達装置である。
【００２９】
請求項１１に係る発明は、ブックマーク欄の情報は編集ボタンにより編集できるようにしたことを特徴とする請求項９又は１０記載の情報伝達装置である。
【００３０】
請求項１２に係る発明は、情報発信者はＷＥＢ上に、お知らせページと該お知らせページの更新時に書き換えを行う更新チェックファイルとを用意すると共に、ユーザのＷＥＢアクセス機器用に更新確認機能と情報の収集・管理機能とを備えた利用者用ツールを提供し、情報発信者はお知らせページの更新時に更新チェックファイルの書き換えを行い、ユーザは利用者用ツールにより最小限マウスのみの操作にて情報発信者からの情報を含む情報の表示、ＷＥＢアクセス、ＷＥＢアドレスの収集・管理を行い、前記利用者用ツールは個人を特定する情報を晒すことなしに前記更新チェックファイルを自動取得してお知らせページの更新を自動確認し、更新があるとお知らせページボタンを強調表示してユーザに更新を知らせ、これによりユーザは自身の情報を公開せずに前記お知らせページを取得できるようにしたことを特徴とする情報伝達処理を記憶した記憶媒体である。
【００３１】
請求項１３に係る発明は、前記利用者用ツールは、該利用者用ツールに予め組み込まれた情報を元に、情報発信者のＷＥＢ上に用意された更新チェックファイルを特定して利用者用ツール側に直接取得することで、情報発信者に、利用者用ツールを使用するユーザ個人の特定をさせないようにしたことを特徴とする請求項１２記載の情報伝達処理を記憶した記憶媒体である。
【００３２】
請求項１４に係る発明は、前記お知らせページボタンをユーザが任意で選択しなければお知らせの内容を表示することができないことを特徴とする請求項１２記載の情報伝達処理を記憶した記憶媒体である。
【００３３】
請求項１５に係る発明は、前記情報発信者とは異なる他の後発の情報発信者が提供する利用者用ツールが前記ユーザのＷＥＢアクセス機器に取り込まれた場合には、お知らせページの内容が順次追加され、ユーザが所定の期間内に前記利用者用ツールを利用して何らかのＷＥＢアクセスを行った時に前記情報発信者のお知らせページの更新の有無を順次自動確認し、更新があるとお知らせページボタンを強調表示させるようにしたことを特徴とする請求項１２記載の情報伝達処理を記憶した記憶媒体である。
【００３４】
請求項１６に係る発明は、ブックマーク欄に加除可能なブックマークタブが表示され、ブックマークタブを選択することにより該ブックマークタブに分類された情報のブックマークがブックマーク欄に一覧表示されるようにしたことを特徴とする請求項１２記載の情報伝達処理を記憶した記憶媒体である。
【００３５】
請求項１７に係る発明は、ユーザのＷＥＢアクセス機器上に取得表示させたＷＥＢアドレスを、専用に設けたクイック取込みボタンのクリック、或いはアドレス欄のドラッグ・アンド・ドロップによりブックマークタブに取り込めるようにしたことを特徴とする請求項１６記載の情報伝達処理を記憶した記憶媒体である。
【００３６】
請求項１８に係る発明は、ブックマーク欄の情報は編集ボタンにより編集できるようにしたことを特徴とする請求項１６又は１７記載の情報伝達処理を記憶した記憶媒体である。
【発明の効果】
【００３７】
本発明では、利用者用ツールは個人を特定する情報を晒すことなしに前記更新チェックファイルを自動取得してお知らせページの更新を自動確認し、更新があると強調表示してユーザに更新を知らせ、これによりユーザは自身の情報を公開せずに前記お知らせページを取得するようにしたので、広告対象者となる個人を特定する情報の流出リスクを負うことなく、よってユーザが安心して情報を取得できることにより、情報発信者は、接点を大幅に広げた広告対象者に対して情報を能動的に伝えることができて広告効果を飛躍的に高められる効果がある。
【００３８】
一方、ユーザは情報発信者が更新した最新の情報を直ちに入手することができ、更に、ユーザは利用者用ツールのブックマーク機能を利用して情報の取得・管理を容易且つ能率的に行うことができる。このとき、利用者用ツールはＷＥＢアドレスの収集・管理ができる上に、ＷＥＢアクセス機器内のファイルの収集・管理もできるので、ユーザは利用者用ツールを安心で便利な「道具」として利用でき、よって利用し易い利用者用ツールによってユーザによる情報発信者との接点が更に似拡大する効果がある。
【００３９】
利用者用ツールは、ユーザのＷＥＢアクセス機器に情報管理ウインドウを表示し、該情報管理ウインドウにはユーザの選択によって情報発信者のお知らせページを表示できる少なくとも１つのお知らせページボタンを備え、このお知らせページボタンは見易い位置に配置されているので、ユーザがお知らせページボタンを選択してお知らせページを見る確率が増加する。
【００４０】
更に、前記情報発信者とは異なる他の後発の情報発信者が提供する利用者用ツールが前記ユーザのＷＥＢアクセス機器に取り込まれた場合には、お知らせページの内容が順次追加され、ユーザが所定の期間内に前記利用者用ツールを利用して何らかのＷＥＢアクセスを行った時に前記情報発信者のお知らせページの更新の有無を順次自動確認し、更新があるとお知らせページボタンを強調表示させるようにしたので、更新されたことがユーザに確実に知らされてユーザの興味が喚起され、ユーザがお知らせページボタンを選択してお知らせページを見る確率が高まる。
【００４１】
更に、ユーザは、利用者用ツールの情報管理ウインドウに表示されるお知らせページボタンを選択することにより、興味がある情報発信者からのお知らせページをいつでも表示させて見ることができ、又、情報発信者のお知らせページが更新されると、更新されたことがお知らせページボタンの強調表示によって知らされるので、ユーザは強調表示されたお知らせページボタンを選択することにより、情報発信者からの最新の情報を直ちに表示させて見ることができる。
【００４２】
又、ユーザは、情報管理ウインドウに備えられたブックマーク機能を利用して、情報の取得・管理を容易に行うことができる。即ち、パソコン等のＷＥＢアクセス機器の取扱いに未熟であっても、ＷＥＢブラウザに取得表示された情報をドラッグ・アンド・ドロップという簡単な操作によってブックマークタブに取り込むことができ、更に、ブックマークをブックマークタブごとに分類して、一覧で表示できるので、多くの情報を簡単且つ見易い状態に整理して管理することができ、よってユーザの利便性を大幅に高めることができる。尚、キーボード等の使用に比較的慣れた人の場合には、ＷＥＢアクセス機器内のファイルの収集・管理も行えるので、使い勝手を高めて更に幅広い利用が可能になる。
【００４３】
このように、情報発信者は、お知らせページの内容を更新するのみで、ユーザに知らせたい情報を知らせたい時に低コストで効率良く伝えることができ、よって高い広告効果を達成することができ、又、ユーザは、情報発信者が更新した最新の情報を直ちに入手することができ、更にユーザは、個人を特定する情報の流出リスクを負うことなく、利用者用ツールに備えられたブックマーク機能を利用して情報の取得・管理を安心して、容易且つ能率的に行うことができるので、情報発信者とユーザとの間の情報の授受が密接に行われ、情報発信者による広告効果の増大とユーザの利便性とが同時に達成できるようになる。
【発明を実施するための最良の形態】
【００４４】
以下、本発明の好適な実施の形態を図面に基づいて説明する。
【００４５】
本発明は、情報発信者はＷＥＢ上に、お知らせページと該お知らせページの更新時に書き換えを行う更新チェックファイルとを用意すると共に、ユーザのＷＥＢアクセス機器用に更新確認機能と情報の収集・管理機能とを備えた利用者用ツールを提供し、情報発信者はお知らせページの更新時に更新チェックファイルの書き換えを行い、ユーザは利用者用ツールにより最小限マウスのみの操作にて情報発信者からの情報を含む情報の表示、ＷＥＢアクセス、ＷＥＢアドレスの収集・管理を行い、前記利用者用ツールは個人を特定する情報を晒すことなしに前記更新チェックファイルを自動取得してお知らせページの更新を自動確認し、更新があると強調表示してユーザに更新を知らせ、これによりユーザは自身の情報を公開せずに前記お知らせページを取得できるようにしたものである。
【００４６】
尚、最小限マウスのみの操作とは、マウスのみのドラッグ・アンド・ドロップのような簡単な操作にても情報発信者からの情報の表示、ＷＥＢアクセス、ＷＥＢアドレスの収集・管理を行うことを含む。
【００４７】
これにより、ユーザはパソコンの取扱いの熟練度に関わらず、簡単な操作で興味ある情報発信者の情報の表示、ＷＥＢアクセス、ＷＥＢアドレスの取得・管理を容易に可能にした。
【００４８】
一方、情報発信者は情報を広範のユーザに容易に提供でき、しかも情報発信者による優しい情報の提供によってユーザへの常駐性を高めることができることにより、図３に示すように、従来のＩ／Ｅ或いはＮ／Ｓ利用の顧客Ｐ２及びメール配信による顧客Ｐ３に比して本発明を利用可能な顧客Ｐ４は平面的な広がりＬを容易に拡大することができ、更に、情報発信者からの情報の表示、ＷＥＢアクセス、ＷＥＢアドレスの収集・管理をマウスのみの簡単な操作でも可能としたことにより不慣れ層を含む家族等への深さの広がりＳ2をも拡大することができ、よって有効顧客を飛躍的に拡大し効果的に囲い込むことにより高い広告効果を達成した。
【００４９】
図１は上記の方法を具体的に示したもので、情報発信者は、インターネットＷＥＢ３４上の情報発信者側サーバ４に、ユーザに伝えたいお知らせページ（ホームページ）３２と更新チェックファイル３３、及びそのアドレス情報ＵＲＬを用意する。情報発信者は、前記お知らせページ３２の内容を任意に書き換えて更新することができ、又、お知らせページ３２を更新した際には、更新チェックファイル３３の日付の書き換えを行う。
【００５０】
一方、情報発信者は、更新確認機能とブックマーク機能とを備えてユーザのＷＥＢアクセス機器３の表示画面に情報管理ウインドウ１を表示させるようにした利用者用ツールＡを、ユーザのＷＥＢアクセス機器３用に提供する。
【００５１】
ここで、前記利用者用ツールＡは、該利用者用ツールＡに予め組み込まれた情報を元に、情報発信者のＷＥＢ３４上に用意された更新チェックファイル３３を特定して利用者用ツールＡ側に直接取得することで、情報発信者に、利用者用ツールＡを使用するユーザ個人の特定をさせないようにしている。即ち、イに示すように、利用者用ツールＡに組み込まれたアドレスを元に、情報発信者側サーバ４内の更新チェックファイル３３を特定し、ロに示す如く、特定した更新チェックファイル３３を利用者用ツールＡ側に直接取得する。
【００５２】
上記イ、ロの一連の動作で必要なのは、情報発信者側サーバ４内にある更新チェックファイル３３のアドレスのみであり、ユーザを識別する情報は全く必要としない。
【００５３】
図２は、情報発信者（企業１）がユーザのＷＥＢアクセス機器３用に前記利用者用ツールＡを提供する例を示す概略図である。利用者用ツールＡは、情報発信者が情報発信者側サーバ４に用意しておき、ユーザが情報発信者側サーバ４からダウンロードによってＷＥＢアクセス機器３に取り込むことができ、又、情報発信者が利用者用ツールＡのＣＤ−ＲＯＭ等をユーザに配布し、このＣＤ−ＲＯＭを用いてユーザがインストールによりＷＥＢアクセス機器３に取り込むことができる。
【００５４】
図４は、情報発信者がユーザのＷＥＢアクセス機器用に提供した利用者用ツールＡにより、ＷＥＢアクセス機器３の表示画面（図４ではＷＥＢブラウザが表示されている）に、情報管理ウインドウ１が表示された状態を示している。情報管理ウインドウ１は、図４の状態から情報管理ウインドウ１に備えられた表示／非表示用つまみ２をクリックすると、図５に示すように情報管理ウインドウ１は表示／非表示用つまみ２を残して表示画面外に隠れ、再度表示／非表示用つまみ２をクリックすると、図４の状態に情報管理ウインドウ１が表示されるようになっている。
【００５５】
図６は、前記利用者用ツールＡによる情報管理ウインドウ１の詳細例を示したものであり、情報管理ウインドウ１には情報の取得・管理を行うためのブックマーク機能が備えられている。即ち、図６中、５はブックマーク欄であり、該ブックマーク欄５は上部に備えたブックマークボタン１００を選択（クリック）することによって表示できるようになっている。尚、情報管理ウインドウ１をＷＥＢアクセス機器３に表示させた時には、常に最初は図６の状態のブックマーク欄５が表示されている。
【００５６】
ブックマーク欄５の左側には、入手した情報を見易く分類するためのブックマークタブ６が上下に複数備えられるようになっており、図６では最上段のブックマークタブ６の「ビジネス」が選択（クリック）された状態を示しており、ブックマーク欄５の上部には表示中のブックマークタブ６のタイトル欄７に「ビジネス」が表示されており、タイトル欄７の下部には「ビジネス」に関する複数の情報のブックマーク（或いはしおり）のタイトルが一覧に表示されている。図中８は、前記タイトル欄７に備えられて、ブックマーク欄５に表示されたブックマークを切替えるための切替ボタンである。
【００５７】
ブックマーク欄５に表示された各情報のブックマークの右側には、ブックマークの編集ボタン９とブックマークの削除ボタン１０、及びスクロールボタン１１が備えられている。
【００５８】
そして、前記した「ビジネス」とは異なるブックマークタブ６を選択すると、そのタブのタイトルに分類された情報のブックマークがブックマーク欄５に切替えられて一覧表示されるようになっている。
【００５９】
更に、前記ブックマーク欄５の下部には、企業１のお知らせページボタン１０１が備えられており、更に図６の場合は、企業１のお知らせページボタン１０１の下部に企業２のお知らせページボタン１０２が備えられている。お知らせページボタン１０１，１０２は企業のロゴ等をバナー表示できるようになっている。
【００６０】
図６中、１２はヘルプボタン、１３は最小化ボタン、１４は最大化ボタン、１５は閉じるボタン、１６はＵＲＬ入力窓、１７はブックマークタブ６の作成ボタン、１８はブックマークタブ６の切替え設定を行う設定ボタン、１９はＵＲＬ入力窓１６の表示／非表示ボタン、２０はブックマークの追加ボタン、２１は情報管理ウインドウ１のサイズ変更つまみ、ＱはユーザのＷＥＢアクセス機器上に取得表示させたＷＥＢアドレスをクリックにてブックマークタブ６に取り込めるようにしたクイック取込みボタンである。
【００６１】
前記ブックマーク機能は、簡単な操作で情報を取得できるようになっている。即ち、図５はユーザがインターネット等のＷＥＢ３４にアクセスしてＷＥＢブラウザに「みちばた英会話」の情報（ホームページ）を取得表示させた状態を示しており、取得表示した情報をユーザが今後も活用したいと考えた場合には、表示／非表示用つまみ２を選択して図４のように情報管理ウインドウ１を表示させ、クイック取込みボタンＱをクリックする、或いは、表示された情報のアドレス欄２２にマウスポイントを合わせ、ドラッグ・アンド・ドロップにより所要のブックマークタブ６（図６ではビジネス）に移動させると、取得表示された情報のブックマークとアドレスがブックマークタブ６に取り込まれるようになっている。
【００６２】
又、図６のブックマークタブ６の作成ボタン１７を選択すると、図７に示すようにタブフォルダの追加・編集画面２３が表示されるようになっている。この追加・編集画面２３には、追加ボタン２４が設けられており該追加ボタン２４を選択することにより、ブックマークタブ６を追加することができ、追加されるブックマークタブ６にはカテゴリーが入力できるようになっている。従って、ユーザは分かりやすい自身の言語等で情報を分類することができる。又、図７の例では、ブックマークタブ６はカテゴリーごとに４つまで青、桃、橙、緑等の色に色分けできるようにしてあり、これにより視覚的にも分かり易く分類できるようにしている。２５はブックマークタブ６の削除ボタン、１２はヘルプボタン、２６はＯＫボタン、２７はキャンセルボタンである。
【００６３】
又、図６のブックマーク欄５に表示されたブックマークの編集ボタン９を選択すると、図８に示すようにブックマークの編集画面２８が表示されるようになっている。この編集画面２８には、タイトル窓２９とアドレス窓３０が設けられていて、タイトルとアドレスが入力できるようになっていると共に、番号窓３１によりタイトルに番号を付けて整理できるようになっている。
【００６４】
図１に示したように、情報発信者（企業１）は、情報発信者側サーバ４に用意したお知らせページ（ホームページ）３２を任意に書き換えて更新し、又、お知らせページ３２を更新した際には、更新チェックファイル３３の日付も書き換えるようにしている。
【００６５】
一方、前記利用者用ツールＡには、情報発信者がお知らせページ３２をＷＥＢ３４に用意した時の日付が予め記憶されており、ユーザのＷＥＢアクセス機器３に常駐された利用者用ツールＡは、任意に設定された期間ごとに、お知らせページ３２の更新の有無を自動的に確認する更新確認機能を備えている。
【００６６】
即ち、図１に示すように、利用者用ツールＡは、例えば１日に１回のように、定期的に前記情報発信者側サーバ４の更新チェックファイル３３に自動的にアクセスして該更新チェックファイル３３を取得し、この取得した更新チェックファイル３３の日付と利用者用ツールＡに記憶されている前の日付とを照合し、両者の日付が異なっている場合には「更新あり」として図９に示すように、企業１のお知らせページボタン１０１を、例えば色を変える等によって強調表示するようにしている。この強調表示の方法としては、お知らせページボタン１０１の色を変える以外に、例えばお知らせページボタン１０１に備えた点灯マークを点灯させたり、或いは点滅させる等の方法としてもよい。
【００６７】
又、他の方法として、図１に示すように、例えば１日に１回、最初にユーザが前記利用者用ツールＡを利用してインターネット等のＷＥＢ３４上に何らかのアクセスを行うと、これと同時に利用者用ツールＡは前記情報発信者側サーバ４の更新チェックファイル３３に自動的にアクセスして該更新チェックファイル３３を取得し、この取得した更新チェックファイル３３の日付と利用者用ツールＡに記憶されている前の日付とを照合し、両者の日付が異なっている場合には「更新あり」として図９に示すように、企業１のお知らせページボタン１０１を、例えば色を変える等によって強調表示ハするようになっている。
【００６８】
そして、強調表示ハされたお知らせページボタン１０１をユーザが選択（クリック）すると、利用者用ツールＡは更新された最新のお知らせページ３２を取得して図１０に示すようにブックマーク欄５に表示するようになっている。又、強調表示されたお知らせページボタン１０１をユーザが選択して更新された最新のお知らせページ３２を表示させると、これと同時にお知らせページボタン１０１の強調表示は解消されるようになっている。
【００６９】
上記により、情報発信者はお知らせページ３２を更新して更新チェックファイル３３を書き換えるのみで、利用者用ツールＡにより更新があったことを多数のユーザに知らせることができて、知らせたい情報をより早くユーザに伝えることができ、よって高い広告効果を達成することができ、又ユーザは、利用者用ツールＡにより、情報発信者により更新された最新の情報をより早く入手することができる。
【００７０】
ユーザが、前記情報発信者（企業１）とは異なる他の後発の情報発信者（企業２）から提供された利用者用ツールＡを、ＷＥＢアクセス機器３に取り込んだ場合には、図６に示すように、前記企業１のお知らせページボタン１０１の下部に企業２のお知らせページボタン１０２が追加表示されるようになっている。そして、ユーザが所定の期間内、例えば１日に１回、最初に、前記利用者用ツールＡを利用してインターネット等のＷＥＢ３４上に何らかのアクセスを行った時には、前記各情報発信者のお知らせページの更新を順次チェックし、更新があった場合にはその総てのお知らせページに対応するお知らせページボタン１０１，１０２を強調表示するようになっている。
【００７１】
更に、ユーザのＷＥＢアクセス機器３用に利用者用ツールＡを最初に提供した情報発信者（企業１）のお知らせページボタン１０１は変更することができず、後発で利用者用ツールＡを提供した他の情報発信者（企業２）のお知らせページボタン１０２は削除が可能となっている。
【００７２】
図６に示した情報管理ウインドウ１において、企業１のお知らせページボタン１０１を選択すると、図１０に示すように、企業１のお知らせページ３２（ホームページ）がブックマーク欄５に表示され、又、企業２のお知らせページボタン１０２を選択すると、図１１に示すように、企業２のお知らせページ３２’（ホームページ）がブックマーク欄５に表示されるようになっている。
【００７３】
又、登録された複数の情報発信者がお知らせページの内容を更新すると、更新した全てのお知らせページに対応するお知らせページボタンは強調表示され、強調表示されたお知らせページボタンをユーザが選択すると、更新された最新のお知らせページがブックマーク欄５に表示され、これと同時にお知らせページボタンの強調表示が解消されるようになっている。
【００７４】
尚、上記形態例では、他の情報発信者による利用者用ツールＡの追加取込みのよってお知らせページボタンが追加表示されるようにした場合について説明したが、お知らせページボタンは１つのみを備え、該１つのお知らせページボタンに複数の情報発信者からのお知らせを含ませるようにしてもよい。
【００７５】
以下に上記形態の作用を説明する。
【００７６】
図１に示すように、情報発信者（企業１）は、情報発信者側サーバ４にお知らせページ３２と更新チェックファイル３３とを用意する一方、当該情報発信者の情報に興味をもつユーザに利用者用ツールＡを提供する。利用者用ツールＡをユーザに提供する方法としては、イベントを開催してその内容に興味を持つユーザにＣＤ−ＲＯＭを配布したり、又、メディアやインターネットＷＥＢ等を通して前記利用者用ツールＡの入手に関する情報を伝えることにより、情報発信者の情報に興味をもつユーザに効率良く提供する。
【００７７】
ユーザのＷＥＢアクセス機器３に取り込まれた利用者用ツールＡの情報管理ウインドウ１には、情報発信者のお知らせページボタン１０１がロゴ等を有するバナーイメージで見易く表示されているので、ユーザはお知らせページボタン１０１を選択（クリック）することにより情報発信者のお知らせページ３２（図１０）をいつでも簡単に見ることができる。
【００７８】
情報発信者は、情報発信者側サーバ４に備えたお知らせページ３２の内容を任意に書き換えて更新を行い、又、更新を行った時には同時に更新チェックページの日付を書き換える。
【００７９】
利用者用ツールＡは、例えば１日に１回のように、定期的に前記情報発信者側サーバ４の更新チェックファイル３３に自動的にアクセスして該更新チェックファイル３３を取得し、この取得した更新チェックファイル３３の日付と利用者用ツールＡに記憶されている前の日付とを照合し、両者の日付が異なっている場合には「更新あり」として図９に示すように、企業１のお知らせページボタン１０１を、例えば色を変える等によって強調表示する。
【００８０】
従って、情報発信者によるお知らせページ３２の更新が、情報管理ウインドウ１のお知らせページボタン１０１の強調表示によって直ちにユーザに知らされるので、ユーザの興味が喚起され、よって、ユーザが強調表示ハされたお知らせページボタン１０１を選択して最新のお知らせページ３２を見る確率が高まる。
【００８１】
このように、情報発信者はお知らせページ３２を更新して更新チェックファイル３３を書き換えるのみで、更新したことを多数のユーザに簡単に伝えることができて、知らせたい情報をより早くユーザに伝えることができ、よって高い広告効果を達成することができ、又、ユーザは、情報発信者が更新した最新の情報をより早く入手することができる。
【００８２】
又、ユーザは、情報管理ウインドウ１に備えられたブックマーク機能を用いて、情報の取得・管理を容易に行うことができる。即ち、パソコン等のＷＥＢアクセス機器３の取扱いに未熟であっても、図４に示すように、ＷＥＢブラウザに取得表示された情報のアドレス欄２２にマウスポイントを合わせてドラッグ・アンド・ドロップするか、或いは、クイック取込みボタンＱをクリックするというマウスのみでの簡単な操作によってＷＥＢアドレスをブックマークタブ６に取り込むことができる。更に、取り込んだブックマークはブックマークタブ６によって分類され、分類ごとに一覧で表示されるので、多くの情報を見易い状態に整理して管理することができ、よってユーザの利便性を大幅に高めることができる。尚、キーボード等の使用に比較的慣れた人の場合には、ＷＥＢアクセス機器内のファイルの収集・管理も行えるので、更に便利な道具として使い勝手を高めて幅広い利用を図ることができる。
【００８３】
このように、ユーザはパソコンの取扱いの熟練度に関わらず、マウスのみによる簡単な操作でも興味ある情報発信者の情報の表示、ＷＥＢアクセス、ＷＥＢアドレスの取得・管理ができ、一方、情報発信者は情報を広範のユーザに容易に安価に提供でき、しかも情報発信者による優しい情報の提供（メール送信のように強制的に情報を送り付けて表示することがない）によってユーザへの常駐性が高められて、図３に示したように、ユーザの平面的な広がりＬが拡大できると共に、家族の高齢者や子供等の不慣れ層でも利用者用ツールＡのブックマーク機能を利用して簡単に情報が活用できて深さの広がりＳ2も拡大されるので、有効顧客を飛躍的に拡大して効果的に囲い込むことができ、高い広告効果を達成できるようになる。
【００８４】
情報発信者は、お知らせページの内容を更新するのみで、ユーザに知らせたい情報を知らせたい時に低コストで効率良く伝えることができ、よって高い広告効果を達成することができる。又、ユーザは、情報発信者が更新した最新の情報を直ちに入手することができ、更にユーザは、個人を特定する情報の流出リスクを負うことなく、利用者用ツールに備えられたブックマーク機能を利用して情報の取得・管理を安心して、容易且つ能率的に行うことができる。よって、情報発信者とユーザとの間の情報の授受が密接に行われ、情報発信者による広告効果の増大とユーザの利便性とが同時に達成できるようになる。
リスク
【００８５】
上記したように、簡単で使い易いアクセスツールと情報発信者の優しい通知とにより、従来にはないユーザと情報発信者との親密度を高めることができ、よって高い常駐性と利用者層の拡大とを可能にした有効なビジネスホットラインを構築することができる。
【００８６】
尚、本発明は上記形態例にのみ限定されるものではなく、利用者用ツールによる情報管理ウインドウの表示方法や表示形状、及び強調表示の方法等は種々変更し得ること、更新の有無を自動的に確認する期間は任意に設定できること、その他本発明の要旨を逸脱しない範囲内において種々変更し得ること、等は勿論である。
【図面の簡単な説明】
【００８７】
【図１】本発明の形態の概略を示すもので、ユーザのアクセス機器に提供された利用者用ツールによりお知らせページの更新を自動確認する状態を示す説明図である。
【図２】情報発信者がユーザのアクセス機器に本発明の利用者用ツールを提供する方法を示す概略図である。
【図３】本発明の方法によるユーザの広がりを従来の方法の場合と比較して示した説明図である。概略図である。
【図４】本発明における利用者用ツールによる情報管理ウインドウが表示された状態を示す説明図である。
【図５】図４の情報管理ウインドウが隠れた状態を示す説明図である。
【図６】本発明における利用者用ツールによる情報管理ウインドウの一例を示す説明図である。
【図７】タブフォルダの追加・編集画面の説明図である。
【図８】ブックマークの編集画面の説明図である。
【図９】企業１のお知らせページボタンが強調表示された状態を示す説明図である。
【図１０】企業１のお知らせページボタンをユーザが選択した状態を示す説明図である。
【図１１】企業２のお知らせページボタンをユーザが選択した状態を示す説明図である。
【符号の説明】
【００８８】
１  情報管理ウインドウ
３  アクセス機器
５  ブックマーク欄
６  ブックマークタブ
９  ブックマークの編集ボタン
１７  ブックマークタブの作成ボタン
３２  企業１のお知らせページ
３２’  企業２のお知らせページ
３３  更新チェックファイル
３４  インターネットＷＥＢ
１００  ブックマークボタン
１０１  お知らせページボタン（最初の提供者）
１０２  お知らせページボタン（後発の提供者）
Ｑ    クイック取込みボタン
Ａ      利用者用ツール
【図１】
2005338997.tif 000003
【図２】
2005338997.tif 000004
【図３】
2005338997.tif 000005
【図４】
2005338997.tif 000006
【図５】
2005338997.tif 000007
【図６】
2005338997.tif 000008
【図７】
2005338997.tif 000009
【図８】
2005338997.tif 000010
【図９】
2005338997.tif 000011
【図１０】
2005338997.tif 000012
【図１１】
2005338997.tif 000013